(57)【要約】【課題】無線通信システムにおいて、移動局が基地局側から呼出されないでも、各移動局において各種テーブル情報の更新が可能な技術の提供。【解決手段】統制局側で割当てた専用チャンネルにより、基地局から、更新するテーブル情報を移動局側で識別するための事案番号情報と該更新するテーブル情報とを移動局側に配信し、該移動局側で任意操作により上記事案番号の指定と上記専用チャンネルへの切換えとを行うことで、該移動局が該テーブル情報の更新に参加できるようにする。【選択図】  図２
2004266506.tif 000002
【特許請求の範囲】
【請求項１】
通信を統括する統制局からの情報を、基地局を介し移動局で入手可能にした無線通信システムであって、
無線チャンネルを、更新するテーブル情報を配信するための専用チャンネルとして割当てるとともに、該更新するテーブル情報を上記基地局側に送信する統制局と、
上記割当てられた専用チャンネルにより、上記更新するテーブル情報を上記移動局側で識別するための事案番号情報と該更新するテーブル情報とを上記移動局側に配信する基地局と、
を備え、上記更新するテーブル情報が上記移動局に対して配信され、該移動局において上記事案番号の指定がされ上記専用チャンネルへの切換えがされたとき、該移動局においてテーブル情報の更新がなされるようにしたことを特徴とする無線通信システム。
【請求項２】
通信を統括する統制局からの情報を基地局を介し移動局で入手可能にした無線通信システムにおけるテーブル情報更新方法であって、
上記統制局が無線チャンネルを、更新するテーブル情報を配信するための専用チャンネルとして割当てるステップと、
上記基地局から、上記割当てられた専用チャンネルにより、上記更新するテーブル情報を上記移動局側で識別するための事案番号情報と該更新するテーブル情報とを上記移動局に対し配信するステップと、
を経て、上記更新するテーブル情報を上記移動局に配信し、該移動局において上記事案番号を指定し上記専用チャンネルへの切換えを行うことによりテーブル情報の更新を可能にしたことを特徴とするテーブル情報更新方法。
【発明の詳細な説明】
【０００１】
【発明の属する技術分野】
本発明は、無線通信システムの移動局におけるテーブル情報更新の技術に関する。
【０００２】
【従来の技術】
従来の無線通信システム技術では、例えば電話帳などのテーブル情報の更新の場合、キー操作やコンピュータからのダウンロードによる個別設定操作を行うことで対応していた。
【０００３】
また、本発明に関連する従来技術であって、特許文献に記載された技術としては、例えば、特開平５−１７３９６５号公報（特許文献１）や、特開平７−２８３７８２号公報（特許文献２）や、特開平５−５５９８０号公報（特許文献３）に記載されたものがある。特開平５−１７３９６５号公報には、マルチチャンネルアクセス方式において、親局から複数の端末局を呼び出し、新たなプログラムを伝送して端末局の制御プログラムの書き換えを行う構成が記載されている。特開平７−２８３７８２号公報には、一斉呼び出しチャンネルＰＣＨを使用して、複数の移動局に対して一斉着信させる技術が記載されている。特開平５−５５９８０号公報には、基地局が移動局に対し一斉同報通信用チャンネルへの切替えを指示する切替え指示信号を送信し、該指示信号を受信した移動局は同報通信用チャンネルに切替える技術が記載されている。
【０００４】
【特許文献１】
特開平５−１７３９６５号公報
【特許文献２】
特開平７−２８３７８２号公報
【特許文献３】
特開平５−５５９８０号公報
【０００５】
【発明が解決しようとする課題】
上記従来技術では、無線通信システム運用中に各種テーブル情報が更新された場合、移動局の設定を個々に行う必要があり、システム内の全移動局のテーブル更新のための作業量は膨大となる。また、上記公報記載の技術はいずれも、移動局が基地局からの呼び出し信号を受信して情報の書き換えを行うようにした技術である。
本発明の課題点は、上記従来技術の状況に鑑み、無線通信システムにおいて、移動局が基地局側から呼出されないでも、各移動局において各種テーブル情報の更新ができるようにすることである。
本発明の目的は、かかる課題点を解決できる技術の提供にある。
【０００６】
【課題を解決するための手段】
上記課題点を解決するために、本発明では、基本的に、統制局側で割当てた専用チャンネルにより、基地局から、更新するテーブル情報を識別するための事案番号情報と該更新するテーブル情報とを移動局側に配信し、該移動局側で、任意操作により上記事案番号の指定と上記専用チャンネルへの切換えとを行うことで、該テーブル情報の更新に参加できるようにする。
具体的には、
（１）通信を統括する統制局からの情報を、基地局を介し移動局で入手可能にした無線通信システムとして、無線チャンネルを、更新するテーブル情報を配信するための専用チャンネルとして割当てるとともに、該更新するテーブル情報を上記基地局側に送信する統制局と、上記割当てられた専用チャンネルにより、上記更新するテーブル情報を移動局側で識別するための事案番号情報と該更新するテーブル情報とを上記移動局側に配信する基地局とを備え、上記更新するテーブル情報が上記移動局に対して配信され、該移動局において上記事案番号の指定がされ上記専用チャンネルへの切換えがされたとき、該移動局においてテーブル情報の更新がなされるようにする。
（２）通信を統括する統制局からの情報を、基地局を介し移動局で入手可能にした無線通信システムにおけるテーブル情報更新方法として、上記統制局が無線チャンネルを、更新するテーブル情報を配信するための専用チャンネルとして割当てるステップと、上記基地局から、上記割当てられた専用チャンネルにより、上記更新するテーブル情報を移動局側で識別するための事案番号情報と該更新するテーブル情報とを上記移動局に対し配信するステップとを経て、上記更新するテーブル情報を上記移動局に配信し、該移動局において上記事案番号を指定し上記専用チャンネルへの切換えを行うことによりテーブル情報の更新がなされるようにする。
【０００７】
また、上記（１）または（２）に対応する移動局としては、統制局で割当てられた専用チャンネルにより、更新するテーブル情報を識別するための事案番号情報と該更新するテーブル情報とが基地局から配信されたとき、上記事案番号の指定と上記専用チャンネルへの切換えとを行うことにより該テーブル情報の更新に参加する構成とする。
上記専用チャンネルは、例えば社団法人  電波産業会規定（ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓ））のＡＲＩＢ  ＳＴＤ−Ｔ７９に定義されるチャンネルを指し、該専用チャンネルに設定した場合、システムにおけるマルチチャンネルアクセス用のチャンネルからは外れ、常時固定されたチャンネルとして扱われるものとする。
【０００８】
【発明の実施の形態】
以下、本発明の実施例につき図面を用いて説明する。
図１は本発明の一実施例である無線通信システムの構成概念を示す図である。図１において、１はシステム全体の通信を統括する統制局、２は、移動局との間で無線通信を行い、該移動局に対し少なくとも各種のテーブル情報を配信可能な基地局、３（３ａ、３ｂ）は各種のテーブル情報を有して作動する移動局である。統制局１と基地局２との間は有線により接続されてもよいし、無線により接続されてもよい。
移動局３においてテーブル情報の更新を行う場合、統制局１は、テーブル更新用の専用チャンネルを割当てる（設定する）。該専用チャンネルとしては、例えば社団法人  電波産業会規定（ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓ））のＡＲＩＢ  ＳＴＤ−Ｔ７９に定義されるチャンネルを適用可能である。また、該統制局１は、更新するテーブル情報（以下、テーブル更新情報という）を基地局２に送信する。基地局２は、統制局１からの指示を受け、該送信されたテーブル更新情報を移動局３側に配信する。基地局２はこのとき、該テーブル更新情報を移動局３側で識別可能にするための事案番号の情報を、該テーブル更新情報といっしょに、または該テーブル更新情報の配信に先立って予め、該移動局３側に送信する。該事案番号は、更新するテーブル情報の種類や内容に対応して付与される番号である。該事案番号情報は、統制局１側から基地局２側に送信するようにしてもよい。テーブル更新情報は、開始信号、更新データ及び終了信号から構成され、基地局２から所定の期間、繰り返して配信されるものとする。
移動局３側では、上記専用チャンネルへの切換えと上記事案番号の指定とを行うことにより該テーブル情報の更新に参加する。さらに、上記統制局１は、上記移動局３における上記テーブル更新のチェック指示を上記基地局２に対して出し、該基地局２は該指示に従い上記移動局３に対して更新チェック情報を送信する。これに対する移動局３からのチェック結果情報は基地局２で受信され、該基地局２からはチェック結果の応答信号が上記統制局１に対し送信される。
【０００９】
図２は、上記図１の無線通信システムにおける情報の流れの説明図である。
図２において、
（１）移動局３において各種のテーブル情報の更新を行う場合、統制局１は、テーブル更新用の専用チャンネルの割当てを行い、該専用チャンネルによる通信設定の指示情報を基地局２に送信する（ステップＳ２０１）。
（２）基地局２は、上記統制局１からの指示情報を受け、移動局３がテーブル更新情報の識別を行うことができるようにするための事案番号の情報を、上記専用チャンネルの、例えばシステム拡張情報を用いて全部の移動局３に対し配信する（ステップＳ２０２）。
（３）統制局１は次に、対象のテーブル更新情報を基地局２に送信する（ステップＳ２０３）。
（４）基地局２はこれを受け、移動局３側に対し、上記専用チャンネルにより上記テーブル更新情報を配信する（ステップＳ２０４）。該テーブル更新情報は、開始信号、更新データ及び終了信号から構成され、基地局２から所定の期間にわたり繰り返して配信される。
（５）移動局３では、上記事案番号の指定と上記専用チャンネルへの切換えとを行うことにより該テーブル情報の更新に任意的に参加し、該テーブル情報の更新を行う（ステップＳ２０５、Ｓ２０６、Ｓ２０７）。すなわち、移動局３は、専用チャンネルによる上記事案番号を受信すると、専用チャンネル識別番号指定操作をすることで専用チャンネルの信号受信を開始し、テーブル更新情報の中の開始信号を受信するとテーブル更新情報の受信を開始し、テーブル更新情報のデータを受信し、テーブル更新情報の中の終了信号を受信するとテーブル更新情報の受信を終了して、内部のテーブル情報の更新を行う。
（６）上記テーブル更新情報の配信終了後において上記統制局１は、上記移動局３における上記テーブル更新状況をチェックする指示信号を上記基地局２に対して送信する（ステップＳ２０８）。
（７）基地局２は該指示に従って移動局３に対して更新チェック情報を配信する（ステップＳ２０９）。
（８）これに対し移動局３からチェック結果情報が基地局２に返信されたとき（ステップＳ２１０）、該基地局２はこれを受けて、チェック結果の応答信号を統制局１に対し送信する（ステップＳ２１１）。
（９）統制局１は、これを受信して移動局３におけるテーブル情報の更新状況を把握する。
上記（２）においては、基地局２は、上記事案番号情報を、上記テーブル更新情報の配信に先立って予め移動局３側に配信するようにしているが、該事案番号情報は、テーブル更新情報に付与して移動局３側に配信するようにしてもよい。
【００１０】
上記実施例によれば、移動局３が、統制局１や基地局２側から呼出されなくても、各移動局３が、上記事案番号の指定と専用チャンネルへの切換えとを行うことにより、各種テーブル情報の更新に任意的に参加することが可能となる。
【００１１】
【発明の効果】
本発明によれば、無線通信システムにおいて、移動局が、統制局や基地局から呼出されないでも、各移動局において各種テーブル情報の更新が可能となる。
【図面の簡単な説明】
【図１】本発明の一実施例である無線通信システムの構成概念図である。
【図２】図１の無線通信システムにおける情報の流れの説明図である。
【符号の説明】
１…統制局、  ２…基地局、  ３…移動局、  １１ａ、１１ｂ、１１ｃ…更新するテーブル情報の開始信号、  １２ａ、１２ｂ…更新するテーブル情報のデータ、  １３ａ、１３ｂ…更新するテーブル情報の終了信号。
【図１】
2004266506.tif 000003
【図２】
2004266506.tif 000004